(57)【要約】      （修正有）【課題】画像トリミングメニューオプションの選択に応答してトリミング電子ディスプレイ画像を提供する。【解決手段】トリミング電子ディスプレイ画像は、入力画像に重畳された幾何学的形状を含む。トリミング電子ディスプレイ画像内の幾何学的形状の少なくとも１つの辺の位置を変更するユーザ入力コンポーネントの動作が、選択されたトリミング画像領域を特定するために検出される。選択されたトリミング画像領域の外側の入力画像の部分は、幾何学的形状の少なくとも１つの辺の位置を変更するプロセスの完了に応答して、トリミング画像を生成するために除去される。トリミング画像及びトリミング画像領域は、トリミング電子ディスプレイ画像内に収まるように拡大される。【選択図】図１Ｂ
2018082434.tif 000002
【特許請求の範囲】
【請求項１】
入力画像をプロセッサに受信することと、
前記プロセッサからディスプレイ装置へと画像トリミングメニューオプションを提供することであって、前記ディスプレイ装置が前記ディスプレイ装置に表示される画面と相互作用するユーザ入力コンポーネントを含むことと、
前記ユーザ入力コンポーネントを介した前記画像トリミングメニューオプションの選択に応答して、前記プロセッサから前記ディスプレイ装置へとトリミング電子ディスプレイ画像を提供することであって、前記トリミング電子ディスプレイ画像が前記入力画像に重畳された幾何学的形状を含むことと、
選択されたトリミング画像領域を特定するために前記トリミング電子ディスプレイ画像内の前記幾何学的形状の少なくとも１つの辺の位置を変更する前記ユーザ入力コンポーネントの動作を検出することと、
前記プロセッサを使用して、前記幾何学的形状の少なくとも１つの辺の位置を前記変更することを完了するのに応答してトリミング画像を生成するために前記選択されたトリミング画像領域の外側にある前記入力画像の部分を除去することと、
前記プロセッサを使用して、前記トリミング電子ディスプレイ画像内に収まるように前記トリミング画像及び前記選択されたトリミング画像領域を拡大することと、
前記プロセッサを使用して、異なるトリミング画像印刷例を生成するために電子印刷可能ページの異なる位置に前記トリミング画像を位置決めすることと、
前記プロセッサから前記ディスプレイ装置へと前記異なるトリミング画像印刷例を提供することと、
選択されたトリミング画像印刷を特定するために前記異なるトリミング画像印刷例のうちの１つを選択する前記ユーザ入力コンポーネントの動作を検出することと、
前記ディスプレイ装置に印刷メニューオプションを表示することと、
前記印刷メニューオプションの選択に応答して前記選択されたトリミング画像印刷を印刷することと
を備える、方法。
【請求項２】
前記トリミング画像の前記拡大後に前記ユーザ入力コンポーネントを介したピンチング動作を検出することをさらに備え、前記ピンチング動作が、前記トリミング電子ディスプレイ画像内で前記トリミング画像領域のサイズを変更することなく、前記トリミング画像の拡大率を増加又は減少させる、請求項１に記載の方法。
【請求項３】
スキャナからの入力画像をプロセッサに受信することと、
前記プロセッサからディスプレイ装置へと入力画像トリミングメニューオプションを提供することであって、前記ディスプレイ装置が前記ディスプレイ装置に表示される画面と相互作用するユーザ入力コンポーネントを含むことと、
前記ユーザ入力コンポーネントを介した前記入力画像トリミングメニューオプションの選択に応答して、前記プロセッサから前記ディスプレイ装置へとトリミング電子ディスプレイ画像を提供することであって、前記トリミング電子ディスプレイ画像が前記入力画像に重畳された幾何学的形状を含むことと、
選択されたトリミング画像サイズを特定するために前記トリミング電子ディスプレイ画像内の前記幾何学的形状の少なくとも１つの辺の位置を変更する前記ユーザ入力コンポーネントの動作を検出することと、
選択されたトリミング画像領域を特定するために前記トリミング電子ディスプレイ画像内の前記幾何学的形状の位置を変更する前記ユーザ入力コンポーネントの動作を検出することと、
前記プロセッサを使用して、前記幾何学的形状の位置を前記変更することを完了するのに応答してトリミング画像を生成するために前記選択されたトリミング画像領域の外側にある前記入力画像の部分を除去することと、
前記プロセッサを使用して、前記トリミング電子ディスプレイ画像内に収まるように前記トリミング画像及び前記選択されたトリミング画像領域を拡大することと、
前記プロセッサを使用して、異なるトリミング画像印刷例を生成するために電子印刷可能ページの異なる位置に前記トリミング画像を位置決めすることと、
前記プロセッサから前記ディスプレイ装置へと前記異なるトリミング画像印刷例を提供することと、
選択されたトリミング画像印刷を特定するために前記異なるトリミング画像印刷例のうちの１つを選択する前記ユーザ入力コンポーネントの動作を検出することと、
前記ディスプレイ装置に印刷メニューオプションを表示することと、
前記印刷メニューオプションの選択に応答して前記選択されたトリミング画像印刷を印刷することと
を備える、方法。
【請求項４】
前記トリミング画像の前記拡大後に前記ユーザ入力コンポーネントを介したピンチング動作を検出することをさらに備え、前記ピンチング動作が、前記トリミング電子ディスプレイ画像内で前記トリミング画像のサイズを変更することなく、前記トリミング画像の拡大率を増加又は減少させる、請求項３に記載の方法。
【請求項５】
プロセッサと、
前記プロセッサに動作可能に接続されたスキャナと、
前記プロセッサに動作可能に接続されたディスプレイ装置であって、前記ディスプレイ装置に表示された画面と相互作用するユーザ入力コンポーネントを含むディスプレイ装置と、
前記プロセッサに動作可能に接続されたプリンタと
を備え、
前記プロセッサが、前記スキャナから入力画像を受信し、
前記プロセッサが、入力画像トリミングメニューオプションを前記ディスプレイ装置に提供し、
前記プロセッサが、前記ユーザ入力コンポーネントを介した前記入力画像トリミングメニューオプションの選択に応答して、トリミング電子ディスプレイ画像を前記ディスプレイ装置に提供し、
前記トリミング電子ディスプレイ画像が、
前記入力画像に重畳された幾何学的形状と、
受け入れメニューオプションと、
キャンセルメニューオプションと
を含み、
前記ディスプレイ装置が前記トリミング電子ディスプレイ画像を表示し、
前記ユーザ入力コンポーネントが、選択されたトリミング画像サイズを特定するために前記トリミング電子ディスプレイ画像内の前記幾何学的形状の少なくとも１つの辺の位置の変更を検出し、
前記ユーザ入力コンポーネントが、選択されたトリミング画像領域を特定するために前記トリミング電子ディスプレイ画像内の前記幾何学的形状の位置の変更を検出し、
前記ユーザ入力コンポーネントが、前記選択されたトリミング画像領域の最終的な受け入れを示すために前記受け入れメニューオプションの選択を検出し、
前記プロセッサが、前記選択された受け入れメニューに応答してトリミング画像を生成するために前記選択されたトリミング画像領域の外側にある前記入力画像の部分を除去し、
前記プロセッサが、前記トリミング電子ディスプレイ画像内に収まるように前記トリミング画像及び前記選択されたトリミング画像領域を拡大し、
前記プロセッサが、異なるトリミング画像印刷例を生成するために電子印刷可能ページの異なる位置に前記トリミング画像を位置決めし、
前記プロセッサが、前記異なるトリミング画像印刷例を前記ディスプレイ装置に提供し、
前記ディスプレイ装置が前記異なるトリミング画像印刷例を表示し、
前記ユーザ入力コンポーネントが、選択されたトリミング画像印刷を特定するために前記異なるトリミング画像印刷例のうちの１つの選択を検出し、
前記ディスプレイ装置が印刷メニューオプションを表示し、
前記プリンタが、前記印刷メニューオプションの選択に応答して前記選択されたトリミング画像印刷を印刷する、システム。
【請求項６】
前記ユーザ入力コンポーネントが、前記トリミング画像の前記拡大後に前記ユーザ入力コンポーネントを介したピンチング動作を検出し、前記ピンチング動作が、前記トリミング電子ディスプレイ画像内で前記トリミング画像のサイズを変更することなく、前記トリミング画像の拡大率を増加又は減少させる、請求項５に記載のシステム。
【請求項７】
前記電子印刷可能ページの前記異なる位置が、
前記電子印刷可能ページの中央に配置された前記選択されたトリミング画像サイズを有する前記トリミング画像と、
前記電子印刷可能ページの少なくとも２辺に到達するように、前記選択されたトリミング画像サイズよりも大きく拡大された前記トリミング画像と、
前記選択されたトリミング画像領域に対応する位置において前記電子印刷可能ページ上で前記選択されたトリミング画像サイズを有する前記トリミング画像と
を含む、請求項５に記載のシステム。
【請求項８】
前記幾何学的形状が、矩形、三角形又は円形を含む、請求項５に記載のシステム。
【請求項９】
前記幾何学的形状の少なくとも１つの辺の位置を前記変更すること、及び前記幾何学的形状の位置を前記変更することが、ユーザインターフェースのクリックアンドドラッグ操作を含む、請求項５に記載のシステム。
【請求項１０】
前記スキャナが前記入力画像を走査する、請求項５に記載のシステム。
【発明の詳細な説明】
【技術分野】
【０００１】
本願明細書におけるシステム及び方法は、一般に、電子ディスプレイを使用した画像のトリミングに関する。
【背景技術】
【０００２】
画像トリミングは、ディジタル複合機において制限されたサポートを受けており、座標エントリベースで模倣するために、ｘ／ｙ座標において盲目的に推測することから固定されたプレビュー画像などに基づく画面領域指定において不明瞭さに至るまで、サポートされるのは通常煩雑である。さらに、最終的な出力についての位置決め及び拡大設定の効果は、不明確なときがある。この全ては、ユーザが試行錯誤を通じて所望の出力を得ようとすること又は全て一緒に機能を断念することをもたらす。
【発明の概要】
【課題を解決するための手段】
【０００３】
本願明細書における様々な方法は、入力画像をプロセッサに受信する。入力画像は、入力画像、アプリケーションによって生成された印刷可能文書、記憶装置から取得された印刷可能アイテムなどとすることができる。これらの方法はまた、プロセッサからディスプレイ装置へと画像トリミングメニューオプション（例えば、多機能装置インターフェース内）を提供する。ディスプレイ装置は、ディスプレイ装置に表示された画面と相互作用するユーザ入力コンポーネントを含む。（ユーザ入力コンポーネントを介した）画像トリミングメニューオプションの選択に応答して、これらの方法は、プロセッサからディスプレイ装置へとトリミング電子ディスプレイ画像を提供する。トリミング電子ディスプレイ画像は、入力画像に重畳された幾何学的形状（例えば、矩形、三角形、円形など）、受け入れメニューオプション、キャンセルメニューオプションなどを含む。
【０００４】
トリミング電子ディスプレイ画像における入力画像に重畳された幾何学的形状により、これらの方法は、選択されたトリミング画像サイズを特定するためにトリミング電子ディスプレイ内の幾何学的形状の少なくとも１つの辺の位置を変更するユーザ入力コンポーネントの動作を検出する。さらに、そのような方法は、トリミング電子ディスプレイ画像内の幾何学的形状の位置を変更するユーザ入力コンポーネントの追加動作を検出することができ、これは、本方法が「選択された」トリミング画像領域を特定するのを可能とする。例えば、入力画像の選択されたトリミング画像領域は、ディスプレイ装置上の選択されたトリミング画像領域の外側の入力画像の部分よりも相対的に明るく表示されることができる。トリミング画像領域が選択されると、これらの方法は、（例えば、ユーザインターフェース画面若しくはボタンを放すことによって）幾何学的形状の位置を変更するプロセスを完了するか又は例えば、受け入れメニューオプションを選択するユーザ入力コンポーネントのさらなる動作を検出し、これは、選択されたトリミング画像領域の最終的な受け入れを示す。
【０００５】
選択されたトリミング画像領域の最終的な受け入れ後、これらの方法は、選択されたトリミング画像領域の外側にある入力画像の部分を除去し、これは、トリミング画像を生成する（これは、プロセッサを使用して、選択された受け入れメニューに対する応答において自動的に行われる）。つぎに、プロセッサは、トリミング画像がディスプレイ装置上で最も容易に視認されるのを可能とするように、プロセッサを使用してトリミング電子ディスプレイ画像内に最も収まるようにトリミング画像及びトリミング画像領域を自動的に拡大する。例えば、トリミング画像及びトリミング画像領域をトリミング電子ディスプレイ画像内に最も収めるために、トリミング画像及びトリミング画像領域は、トリミング電子ディスプレイ画像の中心の所定割合（例えば、６０％、７５％、９０％など）を占有するように増大されることができる。
【０００６】
トリミング画像が拡大されると、これらの方法はまた、ユーザ入力コンポーネントを介したピンチング動作を検出する。このピンチング動作に応答して、プロセッサは、トリミング電子ディスプレイ画像内でトリミング画像領域のサイズを変更することなく、トリミング画像の拡大率を増加又は減少させる。
【０００７】
さらに、これらの方法は、プロセッサを使用して異なるトリミング画像印刷例を生成するように電子印刷可能ページの異なる位置にトリミング画像を位置決めすることができる。電子印刷可能ページの異なる位置は、例えば、電子印刷可能ページの中央に配置された選択されたトリミング画像サイズを含むことができ、トリミング画像は、電子印刷可能ページの少なくとも２辺に到達するように、選択されたトリミング画像サイズよりも大きく拡大され、トリミング画像は、選択されたトリミング画像領域に対応する位置などにおいて電子印刷可能ページ上で選択されたトリミング画像サイズを有する。
【０００８】
それゆえに、プロセッサは、異なるトリミング画像印刷例をディスプレイ装置に提供する。さらに、これらの方法は、選択されたトリミング画像印刷を特定するように、異なるトリミング画像印刷例の１つを選択するユーザ入力コンポーネントの動作を検出する。印刷メニューオプションはディスプレイ装置に表示され、選択されたトリミング画像は、印刷メニューオプションの選択に応答して印刷される。
【０００９】
本願明細書における例示的なシステムは、（他のコンポーネントの中でも）プロセッサと、プロセッサに動作可能に接続された（直接的又は間接的に接続されていることを意味する）スキャナ、ディスプレイ装置、プリンタなどを含む。ディスプレイ装置は、ディスプレイ装置に表示される画面と相互作用する１つ以上のユーザ入力コンポーネントを含む。
【００１０】
プロセッサは、アイテムを走査するスキャナ、印刷可能アイテムを生成するアプリケーション、メモリに予め記憶された印刷可能アイテムなどの任意の場所から入力画像を受信する。プロセッサは、任意の形態の画像トリミングメニューオプションをディスプレイ装置に提供する。ユーザ入力コンポーネントを介した入力画像トリミングメニューオプションの選択に応答して、プロセッサは、トリミング電子ディスプレイ画像をディスプレイ装置に提供する。トリミング電子ディスプレイ画像は、例えば、入力画像に重畳された幾何学的形状（例えば、矩形、三角形、円形など）、受け入れメニューオプション、キャンセルメニューオプションなどを含む。
【００１１】
ディスプレイ装置は、トリミング電子ディスプレイ画像を表示し、ユーザ入力コンポーネントは、選択されたトリミング画像サイズを特定するためにトリミング電子ディスプレイ画像内の幾何学的形状の少なくとも１つの辺の位置を変更するユーザ入力を検出する。ユーザ入力コンポーネントはまた、選択されたトリミング画像領域を特定するために（選択されたトリミング画像サイズを有する）トリミング電子ディスプレイ画像内の幾何学的形状の位置を変更するユーザ入力を検出する。ユーザ入力コンポーネントは、選択されたトリミング画像領域の最終的な受け入れを示すために、（例えば、ユーザインターフェース画面若しくはボタンを放すことによって）幾何学的形状の位置を変更するプロセスを完了するか、又は、例えば、受け入れメニューオプションを選択するユーザを検出する。例えば、ディスプレイ装置は、入力画像の選択されたトリミング画像領域を、選択されたトリミング画像領域の外側の入力画像の部分よりも相対的に明るく表示することができる。
【００１２】
選択されたトリミング画像領域の最終的な受け入れに応答して、プロセッサは、トリミング画像を生成するために、選択されたトリミング画像領域の外側にある入力画像の部分を自動的に除去する。プロセッサは、トリミング電子ディスプレイ画像内に最も収まるようにトリミング画像を拡大する。トリミング画像が拡大されると、これらの方法はまた、ユーザ入力コンポーネントを介したピンチング動作を検出することができる。このピンチング動作に応答して、プロセッサは、トリミング電子ディスプレイ画像内でトリミング画像領域のサイズを変更することなく、トリミング画像の拡大率を増加又は減少させる。
【００１３】
さらに、プロセッサは、異なるトリミング画像印刷例を生成するように電子印刷可能ページの異なる位置にトリミング画像を位置決めすることができ、プロセッサは、ディスプレイ装置によって順次表示されるトリミング画像をディスプレイ装置に提供する。電子印刷可能ページの異なる位置は、例えば、電子印刷可能ページの中央に配置された選択されたトリミング画像サイズを含むことができ、トリミング画像は、電子印刷可能ページの少なくとも２辺に到達するように、選択されたトリミング画像サイズよりも大きく拡大され、トリミング画像は、選択されたトリミング画像領域に対応する位置などにおいて電子印刷可能ページ上で選択されたトリミング画像サイズを有する。ユーザ入力コンポーネントは、異なるトリミング画像印刷例のうちの１つを選択するユーザを検出し、これは、選択されたトリミング画像印刷を特定する。そして、ディスプレイ装置は、印刷メニューオプションを表示し、プリンタは、印刷メニューオプションの選択に応答して選択されたトリミング画像印刷を印刷する。
【００１４】
これらの及び他の特徴は、以下の詳細な説明に記載されるか又はそれから明らかである。
【００１５】
添付図面を参照しながら、様々な例示的なシステム及び方法が以下に詳細に記載される。
【図面の簡単な説明】
【００１６】
【図１Ａ】図１Ａは、本願明細書における様々な方法のフロー図である。
【図１Ｂ】図１Ｂは、本願明細書における様々な方法のフロー図である。
【図２】図２は、本願明細書におけるディスプレイを示す概略図である。
【図３】図３は、本願明細書におけるディスプレイを示す概略図である。
【図４】図４は、本願明細書におけるディスプレイを示す概略図である。
【図５】図５は、本願明細書におけるディスプレイを示す概略図である。
【図６】図６は、本願明細書におけるディスプレイを示す概略図である。
【図７】図７は、本願明細書におけるディスプレイを示す概略図である。
【図８】図８は、本願明細書におけるディスプレイを示す概略図である。
【図９】図９は、本願明細書におけるディスプレイを示す概略図である。
【図１０】図１０は、本願明細書におけるディスプレイを示す概略図である。
【図１１】図１１は、本願明細書におけるディスプレイを示す概略図である。
【図１２】図１２は、本願明細書におけるディスプレイを示す概略図である。
【図１３】図１３は、本願明細書におけるディスプレイを示す概略図である。
【図１４】図１４は、本願明細書におけるディスプレイを示す概略図である。
【図１５】図１５は、本願明細書におけるシステムを示す概略図である。
【図１６】図１６は、本願明細書における装置を示す概略図である。
【図１７】図１７は、本願明細書における装置を示す概略図である。
【発明を実施するための形態】
【００１７】
上述したように、画像トリミングが煩雑であることがあり、最終的な出力についての位置決め及び拡大設定の効果は、不明確なときがある。したがって、本願明細書におけるシステム及び方法は、トリミングされるべき領域を容易且つ明確に定義し、画像がトリミングされた後に最終的な出力を定義する方法を提供する。本願明細書におけるシステム及び方法は、単純なオプション選択を提供することにより、実際の画像のプレビューを利用し、トリミング領域自体並びに基本ページの直接操作によってトリミング領域をユーザが定義して位置決めするのを可能とし、トリミングが行われた後に得られた画像をユーザが容易に定義するのを可能とする。これは、多機能装置上に配置された静電容量式タッチスクリーンを使用して行うことができる。
【００１８】
より具体的には、本願明細書におけるシステム及び方法は、例えば、多機能装置制御パネル上に配置された静電容量式タッチスクリーンを使用することができる。処理は、元文書を走査してプレビューモードでそれを開くことによって開始される。画像プレビューを使用して、ユーザは、トリミングされるべきコンテンツを有する画像フィルムストリップからページを選択し、トリミングオプションを選択する。全ページを含むトリミング領域を有する単一ページが拡大表示され、そのようなものは、コーナー及びエッジにおける制御ポイントによって示される。そして、ユーザは、制御ポイントをドラッグすることによってトリミング領域をサイズ決めし、所望の位置までドラッグすることによってトリミング領域を位置決めすることができる。トリミング領域がサイズ変更されると、トリミングされたコンテンツをユーザに明確に表示するために、表示領域に最も収まるように表示が自動的に拡大される（トリミング領域及び背景画像）。ユーザはまた、画面上において指をピンチングして広げることによって背景画像のサイズを変更することができ、トリミングされるべきコンテンツを効果的に変更することができる。トリミング領域外側の画像は、トリミング後に除去される（及び残る）コンテンツを明確に示すためにグレー表示される。
【００１９】
ユーザがトリミング画像に満足すると、確認オプションを選択することができる。そして、最終的な画像をどのようにページ上に表示するべきかを定義するための選択肢が提示される。これは、トリミングのみ、トリミング及び自動センタリング、ベストフィット、センタリング及びフィットなどを含む。これらのオプションは、各オプションに関連してページ上に位置決めされてサイズ決めされた実際のトリミング画像の形式で提示される。ユーザは、所望の結果を表すオプションを選択し、操作は完了する。
【００２０】
図１は、本願明細書における例示的な方法を示すフローチャートであり、以下の説明において、図２〜図１４を参照して説明される。これらの方法は、文書の印刷に関連する「印刷メニュー」電子ディスプレイ画像３５０を（図２に示される、プロセッサ２１６、２２４からディスプレイ装置２１２へと）提供し、ディスプレイ装置２１２は、図１Ａにおける項目１００に示されるように、それを表示する。ディスプレイ装置２１２は、プリンタ、複写機、多機能装置、コンピュータ、携帯型電子装置などの又はそれらに接続されたコンポーネントとすることができ、文書は、入力画像、ソフトウェアアプリケーションによって生成された印刷可能文書、記憶装置から取得された印刷可能アイテムなどとすることができ、一般に、元のページ順序で文書ページを有する。
【００２１】
図２に示されるように、ディスプレイ装置２１２は、ディスプレイ装置２１２に表示される電子画面（例えば、図２〜図１５に示される３２０、３５０）と相互作用するユーザ入力コンポーネント２５０（タッチスクリーン２１２、キーボード２５２、タッチパッド２５４、マウス２５６、トラックボール２５８など、又は任意の同様の装置を含む非限定的な例）を構成する１つ以上のアイテムを含む。印刷メニュー電子ディスプレイ画像３５０は、（限定されるものではないが）「印刷」メニューオプション３５２、「プレビュー」メニューオプション３５４、「用紙サイズ」メニューオプション３５６、「キャンセル」メニューオプション３５８などを含む様々なメニューオプションを含むことができる。（ユーザ入力コンポーネント２５０へのユーザ入力を介した）プレビューメニューオプション３５４のユーザ選択は、図１における項目１０２として示されている。
【００２２】
本願明細書における方法は、項目１０２におけるプレビューメニューオプション３５４の選択に応答して、図１における項目１０４の「サムネイル」電子ディスプレイ画像を（プロセッサ２１６、２２４からディスプレイ装置２１２へと）提供する。図３に示されるように、サムネイル電子ディスプレイ画像３２０は、ディスプレイ装置２１２の（例えば、直線底部又は側部に平行な）次元に沿って（示されるように、潜在的には番号付けされる）互いに順次隣接する文書ページのサムネイル画像の線形ストリップ３３０を表示する。
【００２３】
項目１０６において、そのような方法は、（選択されたサムネイル画像３００を特定するために）可動サムネイル電子ディスプレイ画像３２０内のサムネイル画像のいずれかを選択するユーザ入力コンポーネント２５０の動作を検出する。イラスト要素３１２は、本願明細書における方法及びシステムが動作する方法を理解する助けとしてユーザ入力コンポーネント２５０の動作を示しており、（特に、ユーザ入力コンポーネント２５０がタッチスクリーンディスプレイ２１２である場合）必ずしもサムネイル電子ディスプレイ画像３２０内に表示される要素ではない。例えば、イラスト要素３１２は、サムネイル画像３００のうちの１つを選択するために任意のユーザ入力２５０を使用してユーザがタップ、クリック、ポインティングなどを行うことができることを示している。サムネイル画像は、２回目に以前に選択されたサムネイル画像３００をタップ、クリック、ポインティングなどする（例えば、以前に選択されたサムネイル画像を追加の時間に再選択する）ことによって同様に選択解除されることができる。表示要素３１６は、現在選択されているサムネイル画像の数を示し、サムネイル画像が選択又は選択解除されるたびに更新される。
【００２４】
これらの方法はまた、項目１０８において示されるように、ユーザがサムネイル画像のうちの１つ以上を選択するのに応答して、文書ページの選択されていないサムネイル画像に対して、可動サムネイル電子ディスプレイ画像３２０内の選択されたサムネイル画像３００を視覚的に強調表示することができる。項目１０８における強調表示プロセスは、選択されたサムネイル画像３００の外観を変更する。例えば、項目３００において示されるように、そのような強調表示は、（他の選択されていないサムネイルに対して）選択されたサムネイル画像３００の明るさ（又はそれらの明るさを低減させることによって選択されていない画像を「グレー表示する」）、選択されたサムネイル画像３００の色、選択されたサムネイル画像３００の背景の特性（色、明るさなど）、選択されたサムネイル画像３００の輪郭（例えば、境界、エッジなど）の特性（色、明るさなど）などを変更する。サムネイル画像を選択解除すると、項目１０８におけるそのような強調表示が除去される。
【００２５】
図３は、サムネイル電子ディスプレイ画像３２０内に表示される削除３０４、回転３０６、編集３０８、全選択３１０、キャンセル３１４のボタンなどの様々な他のボタンを示している。そのようなボタンは、常に表示されることができ、又は、サムネイル画像のうちの１つ以上の選択に応答して、低減された明るさから（「グレー表示」から変更する）完全な明るさへと出現又は変更することができる。例えば、削除ボタン３０４の選択は、選択されていないサムネイル画像の線形ストリップから選択されたサムネイル画像３００を削除し、回転ボタン３０６の選択は、サムネイル画像の線形ストリップ内で選択されたサムネイル画像３００を回転させ、編集ボタン３０８の選択は、（後述する図４〜図１４に示される）編集画面において選択されたサムネイル画像３００を提示し、全選択ボタン３１０の選択は、サムネイル画像の線形ストリップ３３０内の全てのサムネイル画像３００を選択し、キャンセルボタン３１４の選択は、図２に示される印刷メニュー電子ディスプレイ画像３５０に表示を返す、などである。
【００２６】
図１の項目１１０は、（図３における）編集ボタン３０８の選択を示している。編集ボタン３０８の選択に応答して、（ユーザ入力コンポーネント２５０を介した）項目１１２において、これらの方法は、プロセッサ２１６、２２４からディスプレイ装置２１２へと、図４に示される編集電子ディスプレイ画像３３４を提供する。図４に示されるように、編集電子ディスプレイ画像３３４は、キャンセルボタン３４４と、トリミングメニューオプション３２２と、明度メニューオプション３２４と、読み取りメニューオプション３２６、シャープネスメニューオプション３２８と、直線化メニューオプション３２９とを含む。
【００２７】
図１における項目１１４は、トリミングメニューオプションの選択を示しており、これは、図４におけるトリミングメニューオプション３２２を選択するイラスト要素３１２によって示されている。トリミングメニューオプション３２２の選択に応答して、（ユーザ入力コンポーネント２５０を介した）項目１１６において、これらの方法は、プロセッサ２１６、２２４からディスプレイ装置２１２へと、図５に示されるトリミング電子ディスプレイ画像３４０を提供する。図５におけるトリミング電子ディスプレイ画像３４０は、入力画像３４６に重畳された幾何学的形状３５０（例えば、矩形、三角形、円形など）、受け入れメニューオプション３４８、キャンセルメニューオプション３４４などを含むことができる。
【００２８】
トリミング電子ディスプレイ画像３４０における入力画像３４６に重畳された幾何学的形状３５０により、項目１１８において、これらの方法は、（例えば、タッチスクリーンのクリックアンドドラッグ操作３１２を介して）トリミング電子ディスプレイ画像３４０内の幾何学的形状３５０の少なくとも１つの辺の（図５〜図７におけるブロック矢印によって示される）位置を変更するユーザ入力コンポーネント２５０の動作を検出する。したがって、図５に示されるように、ユーザは、キーボード、マウスなどのボタンを押し続けることによって、又は、（イラスト要素３１２を使用して示されている）タッチスクリーン、タッチパッドなどに指を置き続けることにより、幾何学的形状３５０のコーナー又はエッジの１つを「クリック」する。そして、（「ドラッグ」操作において）ボタン又は指タッチを押し下げながら、ユーザは、イラスト要素３１２を使用して示されるように、（図５及び図６におけるブロック矢印によって示される）左方に、そして（図７におけるブロック矢印によって示される）上方に、幾何学的形状３５０のコーナーを移動させる。これらの移動の後、ユーザは、図７に示される縮小サイズの幾何学的形状３５０から離れるようにボタン又は指を離し、その後、それは選択されたトリミング画像サイズとして本願明細書において称されることがあるサイズを有する。図１における項目１２０に示されるように、この処理により、選択されたトリミング画像サイズが特定される。
【００２９】
さらに、項目１２２において、そのような方法は、トリミング電子ディスプレイ画像３４０内の幾何学的形状３５０の位置を変更するユーザ入力コンポーネント２５０の追加動作を検出することができる。これは、図８におけるブロック矢印によって示されており、ユーザは、（イラスト要素３１２を使用して示される）右に縮小サイズの幾何学的形状３５０を移動させるように他のクリックアンドドラッグ操作を行う。これは、縮小サイズの幾何学的形状３５０内にある入力画像３４６の部分を効果的に変更する。図８に示されるように、幾何学的形状３５０は、項目１２２において移動されるのにともないその選択されたトリミング画像サイズを維持し、そのような移動は、トリミング電子ディスプレイ画像３４０内の幾何学的形状３５０の位置を変更するにすぎず、これは、幾何学的形状３５０のサイズを変更しない。図１における項目１２４に示されるように、この処理は、図９に示される「選択された」トリミング画像領域３７４を特定する。
【００３０】
トリミング画像領域３７４が項目１２４において特定されると、これらの方法は、（例えば、ユーザインターフェース画面又はボタンを離すことによって）幾何学的形状３５０の位置を変更するプロセスを完了するか、又は、例えば、図１における項目１２６に示されるように、受け入れメニューオプション３４８を選択するユーザ入力コンポーネント２５０のさらなる動作を検出し、これは、図９に示される選択されたトリミング画像領域３７４の最終的な受け入れを示す。また、入力画像３４６の選択されたトリミング画像領域３７４は、図１０に示されるように、ディスプレイ装置２１２上の選択されたトリミング画像領域３７４の外側の入力画像の部分３７６よりも相対的に明るく表示されることができる。
【００３１】
項目１２６における選択されたトリミング画像領域３７４の最終的な受け入れ後、これらの方法は、図１における項目１２８の選択されたトリミング画像領域３７４の外側にある入力画像の部分を除去する。項目１２８における処理は、図１１に示されるように、プロセッサ２１６、２２４を使用して、項目１２６において、選択されたトリミング画像領域３７４の最終的な受け入れに応答して自動的に行われる。図１における項目１３０に示されるように、これは、図１１に示されるトリミング画像３７８を生成する。
【００３２】
つぎに、図１における項目１３２において、プロセッサ２１６、２２４は、プロセッサ２１６、２２４を使用して、トリミング電子ディスプレイ画像３４０内に最も収まるようにトリミング画像３７８及びトリミング画像領域３７４を自動的に拡大し、これは、図１２におけるブロック矢印によって示されている。項目１３２における拡大は、トリミング画像３７８がディスプレイ装置２１２上で最も容易に視認されるのを可能とする。例えば、項目１３２においてトリミング画像３７８及びトリミング画像領域３７４をトリミング電子ディスプレイ画像内に最も収めるために、トリミング画像３７８及びトリミング画像領域３７４は、トリミング電子ディスプレイ画像３４０の中心の所定割合（例えば、６０％、７５％、９０％など）を占有するようにプロセッサによって自動的に増大されることができる。
【００３３】
トリミング画像３７８が項目１３２において拡大されると、これらの方法はまた、図１における項目１３４においてユーザ入力コンポーネント２５０を介したピンチング動作を検出する。このピンチング動作３１８は、ユーザが２本の指でタッチスクリーン又はタッチパッド上の２つの異なる点で接触した後に指を互いに近付けたり離したりするように動かすものとして図１３においてイラスト特徴３１２を介して示されている。項目１３４におけるピンチング動作に応答して、図１における項目１３６に示されるように、プロセッサ２１６、２２４は、トリミング電子ディスプレイ画像３４０内でトリミング画像領域３７４のサイズを変更することなく、トリミング画像３７８の拡大率を増加又は減少させる。これは、図１３におけるブロック矢印（項目３１８）を使用して示されるように拡大率を増加又は減少させる。
【００３４】
さらに、図１における項目１３８に示されるように、これらの方法は、プロセッサ２１６、２２４を使用して（図１６に示される）異なるトリミング画像印刷例３６０、３６２、３６４を生成するように、電子印刷可能ページの異なる位置にトリミング画像３７８を位置決めすることができる。電子印刷可能ページの異なる位置は、例えば、項目３６０を使用して示されるように、選択されたトリミング画像領域３７４に対応する位置において電子印刷可能ページ上で選択されたトリミング画像サイズを有するトリミング画像３７８を含むことができ、選択されたトリミング画像３７８は、電子印刷可能ページ３６２上の中央に配置され、トリミング画像３７８は、電子印刷可能ページ３６４の少なくとも２つの辺に到達するように、選択されたトリミング画像サイズよりも大きく拡大される、などである。
【００３５】
それゆえに、プロセッサ２１６、２２４は、図１における項目１４０において異なるトリミング画像印刷例をディスプレイ装置２１２に提供する。さらに、これらの方法は、図１における項目１４２において選択されたトリミング画像印刷を特定するように、異なるトリミング画像印刷例のうちの１つを選択するユーザ入力コンポーネント２５０の動作を検出する。印刷メニューオプション（３５２、図２）が図１における項目１４４においてディスプレイ装置２１２に表示され、トリミング画像３７８は、図１における項目１４６に示されるように、印刷メニューオプション３５２の選択に応答して印刷される。
【００３６】
図１５に示されるように、本願明細書における例示的なシステム及び方法は、様々な異なる物理的位置２０６に配置された様々なコンピュータ化装置２００、２０４を含む。コンピュータ化装置２００、２０４は、印刷サーバ、印刷装置、パーソナルコンピュータなどを含むことができ、ローカル又はワイドエリア（有線又は無線）ネットワーク２０２を介して接続されている（互いに動作可能に接続されている）。
【００３７】
図１６は、本願明細書におけるシステム及び方法によって使用可能であり、例えば、印刷サーバ、パーソナルコンピュータ、携帯型コンピューティング装置などを含むことができるコンピュータ化装置２００を示している。コンピュータ化装置２００は、コントローラ／有形プロセッサ２１６と、有形プロセッサ２１６及びコンピュータ化装置２００の外部のコンピュータ化ネットワーク２０２に動作可能に接続された通信ポート（入出力）２１４とを含む。また、コンピュータ化装置２００は、グラフィカルユーザインターフェース（ＧＵＩ）アセンブリ２１２などの少なくとも１つのアクセサリ機能コンポーネントを含むことができる。ユーザは、グラフィカルユーザインターフェース又はコントロールパネル２１２からメッセージ、命令、及びメニューオプションを受信することができ、グラフィカルユーザインターフェース又はコントロールパネル２１２を介して命令を入力することができる。
【００３８】
入出力装置２１４は、コンピュータ化装置２００との間の通信に使用され、（現在知られているか又は将来開発されるかにかかわらず、任意の形態の）有線装置又は無線装置を含む。有形プロセッサ２１６は、コンピュータ化装置の様々な動作を制御する。（光、磁気、コンデンサベースなどとすることができ、一時的信号とは異なる）持続的で有形のコンピュータ記憶媒体装置２１０は、有形プロセッサ２１６によって読み取り可能であり、コンピュータ化装置が本願明細書に記載されるものなどの様々な機能を実行するのを可能とするように、有形プロセッサ２１６が実行する命令を記憶する。それゆえに、図１６に示されるように、本体ハウジングは、電源２１８によって交流（ＡＣ）電源２２０から供給される電力で動作する１つ以上の機能コンポーネントを有する。電源２１８は、共通の電力変換ユニット、電力記憶素子（例えば、電池など）などを備えることができる。
【００３９】
図１７は、本願明細書におけるシステム及び方法によって使用可能であり、例えば、プリンタ、複写機、多機能機、多機能装置（ＭＦＤ）などを含むことができる印刷装置２０４であるコンピュータ化装置を示している。印刷装置２０４は、（画像データを処理するために特化されていることから汎用コンピュータとは異なる）専用イメージプロセッサ２２４に動作可能に接続された少なくとも１つのマーキング装置（印刷エンジン）２４０、シート供給部２３０からマーキング装置２４０へと連続媒体又は媒体シートを供給するように配置された媒体経路２３６など、上述したコンポーネントの多くを含む。印刷エンジン２４０から様々なマーキングを受けた後、媒体シートは、必要に応じて、様々な印刷シートに折り畳み、ステープル止め、ソートなどを行うことができる仕上げ部２３４に渡すことができる。また、印刷装置２０４は、（電源２１８を介して）外部電源２２０から供給された電力で同様に動作する（スキャナ／文書ハンドラ２３２（自動給紙装置（ＡＤＦ）などの））少なくとも１つのアクセサリ機能コンポーネントを含むことができる。
【００４０】
１つ以上の印刷エンジン２４０は、現在知られているか又は将来開発されるかにかかわらず、連続媒体又は媒体シートにマーキング材料（トナー、インクなど）を塗布する任意のマーキング装置を例示するように意図されており、例えば、感光体ベルト若しくは中間転写ベルトを使用する装置、又は印刷媒体に直接印刷する装置（例えば、インクジェットプリンタ、リボンベースコンタクトプリンタなど）を含むことができる。
【００４１】
当業者によって理解されるように、図１７に示される印刷装置２０４は一例にすぎず、本願明細書におけるシステム及び方法は、より少ないコンポーネント又はより多くのコンポーネントを含むことができる他の種類の印刷装置にも等しく適用可能である。例えば、限られた数の印刷エンジン及び用紙経路が図１７に示されているが、当業者は、より多くの用紙経路及び追加の印刷エンジンを本願明細書におけるシステム及び方法によって使用される任意の印刷装置内に含めることができることを理解するであろう。
【００４２】
それゆえに、上述したように、本願明細書における例示的な装置は、（他のコンポーネントの中でも）プロセッサ２１６、２２４と、プロセッサ２１６、２２４に動作可能に接続された（直接的又は間接的に接続されていることを意味する）スキャナ２３２、ディスプレイ装置２１２、プリンタ２０４などを含む。ディスプレイ装置２１２は、ディスプレイ装置２１２に表示される画面と相互作用する１つ以上のユーザ入力コンポーネント２５０を含む。
【００４３】
プロセッサ２１６、２２４は、アイテムを走査するスキャナ２３２、印刷可能アイテムを生成するアプリケーション、メモリに予め記憶された印刷可能アイテムなどの任意の場所から入力画像３４６を受信する。プロセッサ２１６、２２４は、任意の形態の画像トリミングメニューオプションをディスプレイ装置２１２に提供する。ユーザ入力コンポーネント２５０を介した入力画像３４６のトリミングメニューオプションの選択に応答して、プロセッサ２１６、２２４は、トリミング電子ディスプレイ画像３４０をディスプレイ装置２１２に提供する。トリミング電子ディスプレイ画像３４０は、例えば、入力画像３４６に重畳された幾何学的形状３５０（例えば、矩形、三角形、円形など）、受け入れメニューオプション３４８、キャンセルメニューオプションなどを含む。
【００４４】
ディスプレイ装置２１２は、トリミング電子ディスプレイ画像３４０を表示し、ユーザ入力コンポーネント２５０は、選択されたトリミング画像サイズを特定するために（例えば、クリックアンドドラッグ操作を使用して）トリミング電子ディスプレイ画像３４０内の幾何学的形状３５０の少なくとも１つの辺の位置を変更するユーザ入力を検出する。ユーザ入力コンポーネント２５０はまた、選択されたトリミング画像領域３７４を特定するために（選択されたトリミング画像サイズを有する）トリミング電子ディスプレイ画像３４０内の幾何学的形状３５０の位置を変更するユーザ入力を検出する。ユーザ入力コンポーネント２５０は、選択されたトリミング画像領域３７４の最終的な受け入れを示すために、（例えば、ユーザインターフェース画面若しくはボタンを放すことによって）幾何学的形状３５０の位置を変更するプロセスを完了するか、又は、例えば、受け入れメニューオプション３４８を選択するユーザを検出する。例えば、ディスプレイ装置２１２は、入力画像３４６の選択されたトリミング画像領域３７４を、選択されたトリミング画像領域３７４の外側の入力画像３４６の部分よりも相対的に明るく表示することができる。
【００４５】
選択されたトリミング画像領域３７４の最終的な受け入れに応答して、プロセッサ２１６、２２４は、トリミング画像３７８を生成するために、選択されたトリミング画像領域３７４の外側にある入力画像３４６の部分を自動的に除去する。プロセッサ２１６、２２４は、トリミング電子ディスプレイ画像３４０内に最も収まるようにトリミング画像３７８を拡大する。トリミング画像３７８が拡大されると、これらの方法はまた、ユーザ入力コンポーネント２５０を介したピンチング動作を検出することができる。このピンチング動作に応答して、プロセッサ２１６、２２４は、トリミング電子ディスプレイ画像３４０内でトリミング画像領域のサイズを変更することなく、トリミング画像３７８の拡大率を増加又は減少させる。
【００４６】
さらに、プロセッサ２１６、２２４は、異なるトリミング画像印刷例を生成するように電子印刷可能ページの異なる位置にトリミング画像３７８を位置決めすることができ、プロセッサ２１６、２２４は、ディスプレイ装置２１２によって順次表示されるそれをディスプレイ装置２１２に提供する。電子印刷可能ページの異なる位置は、例えば、電子印刷可能ページの中央に配置された選択されたトリミング画像サイズを含むことができ、トリミング画像３７８は、電子印刷可能ページの少なくとも２辺に到達するように、選択されたトリミング画像サイズよりも大きく拡大され、トリミング画像３７８は、選択されたトリミング画像領域３７４に対応する位置などにおいて電子印刷可能ページ上で選択されたトリミング画像サイズを有する。ユーザ入力コンポーネント２５０は、異なるトリミング画像印刷例のうちの１つを選択するユーザを検出し、これは、選択されたトリミング画像印刷を特定する。そして、ディスプレイ装置２１２は、印刷メニューオプションを表示し、プリンタ２０４は、印刷メニューオプションの選択に応答して選択されたトリミング画像印刷を印刷する。
【００４７】
いくつかの例示的な構造が添付図面に示されているが、当業者は、図面は簡略化された概略図であり、以下に提示される特許請求の範囲は図示されていない（又は潜在的に多くはない）がそのような装置及びシステムとともに一般的に利用されるより多くの特徴を包含することを理解するであろう。したがって、特許出願人は、以下に提示される特許請求の範囲が添付図面によって限定されることを意図しておらず、代わりに、添付図面は、特許請求された特徴が実施されることができるいくつかの方法を例示するために提供されるにすぎない。
【００４８】
多くのコンピュータ化装置が上述されている。チップベースの中央処理装置（ＣＰＵ）と、（グラフィックユーザインターフェース（ＧＵＩ）、メモリ、コンパレータ、有形プロセッサなどを含む）入出力装置とを含むコンピュータ化装置は、米国テキサス州ラウンドロックのデルコンピュータ及び米国カリフォルニア州クパチーノのアップルコンピュータ社などの製造業者によって製造された周知且つ容易に入手可能な装置である。そのようなコンピュータ化装置は、一般に、入出力装置、電源、有形プロセッサ、電子記憶メモリ、配線などを含み、読者が本願明細書に記載されるシステム及び方法の顕著な態様にフォーカスするのを可能とするように、その詳細は本願明細書から省略されている。同様に、プリンタ、複写機、スキャナ及び他の類似の周辺機器は、米国コネチカット州ノーウォークのゼロックス社から入手可能であり、そのような装置の詳細は、簡潔性及び読者のフォーカスの目的のために本願明細書においては記載されない。
【００４９】
本願明細書において使用されるプリンタ又は印刷装置という用語は、任意の目的のために印刷出力機能を実行するディジタル複写機、製本機、ファクシミリ装置、複合機などの任意の装置を包含する。プリンタや印刷エンジンなどの詳細は周知であり、提示された顕著な特徴にフォーカスされた本開示を維持するために本願明細書においては詳細に記載されない。本願明細書におけるシステム及び方法は、カラー、モノクロで印刷する又はカラー若しくはモノクロ画像データを処理するシステム及び方法を包含することができる。全ての上述したシステム及び方法は、静電及び／又は電子写真装置及び／又はプロセスに特に適用可能である。
【００５０】
さらに、本願明細書において使用される「右（ｒｉｇｈｔ）」、「左（ｌｅｆｔ）」、「垂直（ｖｅｒｔｉｃａｌ）」、「水平（ｈｏｒｉｚｏｎｔａｌ）」、「上部（ｔｏｐ）」、「底部（ｂｏｔｔｏｍ）」、「上（ｕｐｐｅｒ）」、「下（ｌｏｗｅｒ）」、「下方（ｕｎｄｅｒ）」、「下（ｂｅｌｏｗ）」、「下層（ｕｎｄｅｒｌｙｉｎｇ）」、「上（ｏｖｅｒ）」、「上層（ｏｖｅｒｌｙｉｎｇ）」、「平行（ｐａｒａｌｌｅｌ）」、「垂直（ｐｅｒｐｅｎｄｉｃｕｌａｒ）」などの用語は、（特に断らない限り）それらが図面において配向及び図示されるように相対的位置であると理解される。「接触（ｔｏｕｃｈｉｎｇ）」、「上（ｏｎ）」、「直接接触（ｉｎ  ｄｉｒｅｃｔ  ｃｏｎｔａｃｔ）」、「当接（ａｂｕｔｔｉｎｇ）」、「直接隣接（ｄｉｒｅｃｔｌｙ  ａｄｊａｃｅｎｔ  ｔｏ）」などの用語は、少なくとも１つの要素が（記載された要素を分離する他の要素なしで）他の要素に物理的に接触することを意味する。さらに、自動化又は自動的にという用語は、（機械又はユーザによって）処理が開始されると、１つ以上の機械が任意のユーザからのさらなる入力なしで処理を行うことを意味する。本願明細書における図面において、同一の識別符号は、同一又は類似の項目を特定する。
【図１Ａ】
2018082434.tif 000003
【図１Ｂ】
2018082434.tif 000004
【図２】
2018082434.tif 000005
【図３】
2018082434.tif 000006
【図４】
2018082434.tif 000007
【図５】
2018082434.tif 000008
【図６】
2018082434.tif 000009
【図７】
2018082434.tif 000010
【図８】
2018082434.tif 000011
【図９】
2018082434.tif 000012
【図１０】
2018082434.tif 000013
【図１１】
2018082434.tif 000014
【図１２】
2018082434.tif 000015
【図１３】
2018082434.tif 000016
【図１４】
2018082434.tif 000017
【図１５】
2018082434.tif 000018
【図１６】
2018082434.tif 000019
【図１７】
2018082434.tif 000020